(57)【要約】【課題】  右利き左利き両方の人が使用することができるとともに、刃の交換等といった作業を要することなく、必要な場面において右利き用と左利き用の使用方法が可能である鎌の提供を図る。【解決手段】  草むしり等に使用する鎌であって、持ち手部２ａを有する棒状体２の先端部２ｂに、右利き用刃体３ａと左利き用刃体３ｂの両方が取付機構を介して締結具５により一体的に取り付けられている構成となっている。このとき、前記右利き用刃体３ａと左利き用刃体３ｂとについて、夫々独立した別体構成とすることもでき、あるいは一体成型された一体構成とすることもできる。そして、右利き用刃体３ａあるいは左利き用刃体３ｂのいずれか一方が、他方より小型に成型されている構造も考え得る。【選択図】図１
0003155345.tif 000002
【実用新案登録請求の範囲】
【請求項１】
草むしりや草刈り等に使用する鎌であって、持ち手部を有する棒状体の先端部に、右利き用刃体と左利き用刃体の両方が取付機構を介して締結具により一体的に取り付けられていることを特徴とする両刀鎌。
【請求項２】
前記両刀鎌において、右利き用刃体と左利き用刃体とが、一体成型されていることを特徴とする請求項１に記載の両刀鎌。
【請求項３】
前記両刀鎌において、右利き用刃体あるいは左利き用刃体のいずれか一方が、他方より小型に成型されていることを特徴とする請求項１または請求項２に記載の両刀鎌。
【考案の詳細な説明】
【技術分野】
【０００１】
本考案は、草むしり等の作業において使用される鎌に関するものである。
【背景技術】
【０００２】
鎌は、草むしりや草刈り等といった場面において、事業用と一般家庭用とを問わず、広く万人に使用されている。
従来の鎌は、右利きの人が多い現状において、当然ながら右利き用に製造されており、左利き用の鎌の存在は少ない。これは、需要の少ない中で、コスト的その他の理由で、敢えて左利き用を製造することが好ましくないからである。
そこで、左利きの人であっても、右利き用の鎌を使用せざるを得ず、したがって、不慣れながら左利きの人が右手で右利き用の鎌を使用しているのが現状であり、作業上非常に困難な技である。
【０００３】
ところで、右利きの人であっても、草むしり等の現場において、通常の鎌の使用方法とは別の使用方法を欲する場合がある。すなわち、作業者が作業している現状の向きを変えることなく、右手側の草むしり等を欲する場面である。このような場面において、仮に左利き用の鎌が存在すれば、その鎌を右手で使用することで対応することが可能である。しかしながら、上述したように、左利き用の鎌は、その存在自体が少なく、また、右利き用と左利き用の両方の鎌を揃えておくこと自体が煩雑である。
【０００４】
【特許文献１】特開２００８−１７８２５号公報
【特許文献２】登録実用新案第３１３６６６２号公報
【特許文献３】登録実用新案第３１３６６８６号公報
【考案の概要】
【考案が解決しようとする課題】
【０００５】
本考案は、上記問題点に鑑みてなされたものであって、右利き左利き両方の人が使用することができるとともに、刃の交換等といった作業を要することなく、必要な場面で右利き用と左利き用の使用方法が可能である鎌を提供することを目的とするものである。
【課題を解決するための手段】
【０００６】
上記課題を解決するため、本考案は、持ち手部を有する棒状体の先端部に、右利き用刃体と左利き用刃体の両方が取付機構を介して締結具により一体的に取り付けられている構成を採用している。
【０００７】
また、本考案は、前記右利き用刃体と左利き用刃体とが、一体成型されている構成とすることも可能である。
【０００８】
さらに、本考案は、前記右利き用刃体あるいは左利き用刃体のいずれか一方が、他方より小型に成型されている構成を採用することも可能である。
【考案の効果】
【０００９】
本考案によれば、鎌の刃について、通常の右利き用だけでなく、左利き用の刃がともに取り付けられることで、両刀鎌として構成されることにより、右利きの人と左利きの人とを問わず、広く万人が使用することを可能にするという効果を発揮するものである。
【００１０】
また、本考案によれば、草むしり等といった鎌を使用するあらゆる作業場面において、使用勝手が格段に向上し、作業効率の向上に資するという優れた効果を奏するものである。
【図面の簡単な説明】
【００１１】
【図１】本考案にかかる両刀鎌の実施例を示す斜視図である。
【図２】本考案にかかる両刀鎌の実施例を示す斜視図である。
【図３】本考案にかかる両刀鎌の使用例を示す説明図である。
【考案を実施するための形態】
【００１２】
以下、本考案にかかる両刀鎌１の実施形態を、図面に基づき説明する。
【００１３】
図１は、本考案にかかる両刀鎌１の実施例を示す斜視図である。
すなわち、本考案にかかる両刀鎌１は、棒状体２と、刃体３と、から構成されている。
【００１４】
棒状体２は、作業者の持ち手となる持ち手部２ａを有している。そして、該棒状体２の先端部２ｂには、刃体３すなわち右利き用刃体３ａと左利き用刃体３ｂの両方が、一体的に取り付けられることとなる。
【００１５】
かかる棒状体２の材質については、従来から用いられている木材を使用すればよい。ただし、その外にも、プラスチック等の合成樹脂製や金属製等であってもよく、特に限定するものではない。
また、該棒状体２の形状についても、特に限定するものではなく、略円筒形状や多角筒形状等が考えられ、さらには、持ち手部２ａに持ち易くするための手型を備える構成も考え得る。
【００１６】
刃体３は、右利き用刃体３ａと左利き用刃体３ｂとから構成され、夫々前記棒状体２の先端部２ｂに取り付けられる。
【００１７】
該刃体３の材質については、一般的に従来から用いられている金属を用いればよいが、特に限定するものではない。
また、刃体３の形状について、草むしり等の機能を果たすものであれば特に限定するものではない。例えば、図１や図２に示すように、右利き用刃体３ａについては、一般的な右利き用刃体３ａの形状として、左端を先端として付け根部分にかけて、上辺が曲線を描くように円弧状となっているとともに、下辺が略直線状となっており、かつ、上辺及び下辺を繋ぐ面について、底面側に膨らんだ曲面状となっている。そして、左利き用刃体３ｂは、かかる右利き用刃体３ａを鏡映しした様な対称形状となっている。
【００１８】
また、図２に示すように、右利き用刃体３ａあるいは左利き用刃体３ｂのいずれか一方が、他方より小型に成型されている形状を採用することが考え得る。すなわち、利き手側と反対側の刃体３については、補助的な機能・役割を果たせばよく、したがって、かかる形状とすることで、原料省略が図れるとともに、左右の刃体３ａ・３ｂが対称的に同形状である場合に比して、小型化を実現することができる。
このとき、一方の刃体３をどれだけ小型にするか、一方の刃体３ａ・３ｂと他方の刃体３ａ・３ｂを夫々どのくらいの大きさにするか、については、特に限定するものではく、適宜決定されればよい。
なお、図面では、左利き用刃体３ｂについて、右利き用刃体３ａよりも小型化した場合について示している。
【００１９】
そして、前記棒状体２の先端部２ｂに、前記右利き用刃体３ａと左利き用刃体３ｂとからなる刃体３が取り付けられる。このとき、刃体３の付け根部分に設けられた取付機構を介して、締結具５により棒状体２と刃体３とが一体的に取り付けられる。
【００２０】
締結具５については、棒状体２と刃体３とを固定的に取り付け可能なものであれば、その構造について特に限定はなく、固定式ピン状締結具や、ネジ式締緩自在締結具等が考え得る。
【００２１】
なお、本考案にかかる両刀鎌１に使用される刃体３ついて、右利き用刃体３ａと左利き用刃体３ｂとは、夫々独立した刃体３の別体構成とすることもできるし、あるいは、右利き用刃体３ａと左利き用刃体３ｂとを一体成型することで一体構成とすることも可能である。
【００２２】
一体構成とすることにより、一の取付機構を、刃体３全体の中央箇所に位置することとなる付け根部分に設ければ足りることとなり、製造工程上簡易となる。
また、一体構成とすることにより、右利き用刃体３ａと左利き用刃体３ｂとが別体であった場合に重なり合う付け根部分について、原料削減が可能となる。
【００２３】
逆に、右利き用刃体３ａと左利き用刃体３ｂとを別体構成とすることにより、既存の右利き用刃体３ａ及び左利き用刃体３ｂによって、本考案をすることが可能になる。
さらに、右利き用刃体３ａと左利き用刃体３ｂとを別体構成とすることにより、夫々の刃体３ａ・３ｂが取付機構を回転軸として、棒状体２に対し回動自在に取り付けることも可能である。
【００２４】
以上の通り構成される本考案にかかる両刀鎌１について、実際の作業現場における使用状態については、図３に示すようになる。
すなわち、右利きの人が使用する場合について説明すると、通常の草むしり等の場面における使用方法は、図３（ａ）に示すように、従来の鎌の使用方法と何ら変わりなく、作業者が右手Ｒで棒状体２の持ち手部２ａを握った状態で、草の根元（場合によっては土中）に右利き用刃体３ａの刃先を突き刺し、そのまま右手Ｒで根元を穿りかき上げることで、草むしり等の作業を行うこととなる。
また、草の根元に右利き用刃体３ａを引っ掛け、そのまま右手Ｒを手前に引くことで、草刈り等の作業を行う。
【００２５】
次いで、壁Ｔの下方等、壁際における草取り作業を行う場合、刃体３の刃先を使って行うこととなる。このとき、向かって左側の壁際であれば、上記した通常の作業方法とほとんど変わらずに、右利き用刃体３ａの刃先を使って行うことができる。
【００２６】
逆に、向かって右側の壁際の場合には、図３（ｂ）に示すように、鎌をひっくり返して刃体３の向きを変えることなく、棒状体２の持ち手部２ａを握った右手Ｒもそのままの状態で、左利き用刃体３ｂの刃先を利用して、容易に草取り作業を行うことが可能となる。
【００２７】
すなわち、従来の右利き用の鎌を使用した場合、向かって右側の壁際における作業については、単に鎌をひっくり返しても、刃体における面の向きが逆向きとなってしまうため、該鎌を上手く使いこなすことはできない。そこで作業者は、壁際が左側となるように向きを変えなければ、上手く作業をすることができないこととなり、作業上非常に煩雑である。
【００２８】
また、向きが変えられる場所での作業であればそれも可能だが、コーナー等の壁Ｔの隅においては、作業者が向きを変えられないところもあり、作業に戸惑ってしまう場合も考えられる。
【００２９】
そこで、本考案にかかる両刀鎌１を使用すれば、鎌をひっくり返して刃体３の向きを変えたりすることなく、そのままの状態で両方の壁際における草取り作業を、いとも容易に行うことが可能となる。
【符号の説明】
【００３０】
１    両刀鎌
２    棒状体
２ａ  持ち手部
２ｂ  先端部
３    刃体
３ａ  右利き用刃体
３ｂ  左利き用刃体
５    締結具
【図１】
0003155345.tif 000003
【図２】
0003155345.tif 000004
【図３】
0003155345.tif 000005